(57)【特許請求の範囲】
【請求項１】
造営面に設置される絶縁材料にて構成されたカバー体と、カバー体内に配設されるプラグ栓刃挿入口を備えたコンセント本体と、カバー体内に形成され、電線を挿通するためのブッシングを備えた入線挿通部と、カバー体の外面側に形成されたアースターミナルと、カバー体と造営面との間に介装される柔軟性を有するパッキンと、カバー体を造営面に取り付けるための取付枠とを具備し、前記カバー体にコンセントカバー部と入線カバー部を、いずれか一方が上段側に配置されると共に他方が下段側に配置されるように形成し、前記コンセントカバー部内に複数の電源プラグが接続できる前記コンセント本体を設けると共に前記入線カバー部内に複数の電線が挿通される前記入線挿通部を形成して成ることを特徴とするコンセント。
【請求項２】
入線カバー部をカバー体に対して着脱自在に形成して成ることを特徴とする請求項１に記載のコンセント。
【発明の詳細な説明】
【０００１】
【発明の属する技術分野】
本発明は、商用電源と電源プラグとを接続できるコンセントに関するものである。
【０００２】
【従来の技術】
従来から、アースピン付きの電源プラグを接続できるコンセントとして、屋外において壁面等の造営面に設置されるものがあり、このようなコンセントとして、防水を施したものがある。このようなコンセントは、例えば屋外に設置される給湯器等への電源供給用に用いられる。
【０００３】
一方、給湯器には、駆動用の電力の他に、動作制御用の弱電流信号を伝達するための電線も接続されるものであり、このような電線を造営面から引き出して給湯器に接続するためには、造営面に、造営面から電線を引き出すと共にこの引き出し部分を防水する等のために、上記コンセントとは別個の電線用のカバー等を設ける必要がある。またこのように給湯器に制御用の電線を接続する場合に限らず、例えば電源をコンセントを介さずに直接屋外設置型の機器に接続したり、あるいは通信用の電線を屋外設置型の機器に接続したりする場合等でも、同様に、コンセントとは別個のカバー等が必要となる。
【０００４】
【発明が解決しようとする課題】
しかし、上記のようにコンセントとは別個の電線引き出し用のカバー等は、コンセントとは別途の設備であるため、コンセントとは別途に配設しなければならず、施工が煩雑なものであった。
【０００５】
本発明は上記の点に鑑みてなされたものであり、屋外設置型の機器にプラグを介して電源等を接続することができるだけでなく、プラグを介せずに直接機器に接続される電線を引き出すことができるコンセントを提供することを目的とするものである。
【０００６】
【課題を解決するための手段】
本発明の請求項１に係るコンセントは、造営面に設置される絶縁材料にて構成されたカバー体２と、カバー体２内に配設されるプラグ栓刃挿入口５２を備えたコンセント本体１０と、カバー体２内に形成され、電線を挿通するためのブッシング５１を備えた入線挿通部１１と、カバー体２の外面側に形成されたアースターミナルと、カバー体２と造営面との間に介装される柔軟性を有するパッキン８と、カバー体２を造営面に取り付けるための取付枠９とを具備して成ることを特徴とするものである。
【０００７】
また、カバー体２にコンセントカバー部２０ｂと入線カバー部２０ａを、いずれか一方が上段側に配置されると共に他方が下段側に配置されるように形成し、コンセントカバー部２０ｂ内に複数の電源プラグが接続できるコンセント本体１０を設けると共に入線カバー部２０ａ内に複数の電線が挿通される入線挿通部１１を形成して成ることを特徴とするものである。
【０００８】
また請求項２に記載の発明は、請求項１の構成に加えて、入線カバー部２０ａをカバー体２に対して着脱自在に形成して成ることを特徴とするものである。
【０００９】
【発明の実施の形態】
以下、本発明を実施形態により説明する。
【００１０】
本実施形態のコンセント１は、屋外の壁材等の造営材の表面（造営面）に取り付けられるものである。以下、コンセント１を鉛直方向の造営面に対して配設した場合の、コンセント１に対して造営面とは反対側を前方、造営面側を後方として、コンセント１の構成を説明する。
【００１１】
図１，２に示す参考例のコンセント１にあっては、外装は、絶縁性材料から構成されるカバー体２と、柔軟性を有するパッキン８とから構成されている。
【００１２】
カバー体２の背面の全面は後方に向けて開口しており、この開口の周囲には、全周に亘って、背面側に突出するリブが突設されている。
【００１３】
カバー体２の前面側には、前方に向けて突出するケース部２０が形成されている。ケース部２０の両側面は略三角形状に形成され、前面は、上面後方から前面下方に向けて、外方に突出しながらなだらかに湾曲する面一な曲面として形成されている。また、ケース部２０の下面は略矩形状に形成され、カバー体２の内部と外部とを連通する接続開口２１が下方に向けて開口している。この接続開口２１の開口周縁の、前面側及び両側面側からは、下方に向けて突出するコ字状の雨避け用のフード２２が設けられている。
【００１４】
ここで、ケース部２０内には、ケース部２０内を左右に分割した一側部にコンセント本体１０が設けられ、他側部には入線挿通部１１が形成されるものであり、また上記の接続開口２１の入線挿通部１１側の側部はブッシング用開口部２３として形成され、コンセント本体１０側の側部はコンセント用開口部２４として形成されている。
【００１５】
コンセント本体１０は、接地極用栓刃が設けられた電源プラグを接続することができるようになっており、電源プラグの電源用栓刃や接地極用栓刃を接続する刃受ばねと、この刃受ばねに電源用配線の電源線やアース線を接続する、速結端子構造等に形成された接続端子部とが、下面が開口するボディ３内に配設されている。このボディ３の下面開口には下カバー５が被着されている。
【００１６】
この下カバー５の下面には刃受ばねに対応して電源プラグの電源用栓刃を挿入するプラグ栓刃挿入口５２や接地極用栓刃を挿入する接地極用栓刃挿入口５３が穿設されており、夫々の挿入口５２,５３は円弧状に形成され、挿入した電源用栓刃及び接地極用栓刃を所定角度に回転することができるようになっている。
【００１７】
ボディ３の背面には、背面側からボディ３内に電源線やアース線の芯線を挿入する芯線挿入口３０が、ボディ３内へ連通するように穿設して形成されている。また解除釦が露出する解除孔３１も形成されている。
【００１８】
このコンセント本体１０はカバー体２の背面からケース部２０内に挿入されてケース部２０内の一側部に配設されている。このときコンセント本体１０の下カバー５がケース部２０のコンセント用開口部２４に配置されて、このコンセント用開口部２４にて挿入口５２,５３が外部に露出しており、コンセント本体１０はこのような状態で、ケース体２に対して螺子どめ等により固定されている。
【００１９】
一方、入線挿通部１１は、ケース部２０内におけるコンセント本体１０の側方に形成された空間にて構成されており、この入線挿通部１１によって、ケース部２０の背面開口とブッシング用開口部２３とが連通されている。またブッシング用開口部２３には、コンセント１外部と入線挿通部１１とを仕切るようにブッシング５１が設けられている。ここでブッシング５１はゴム等の軟質の樹脂材料にて形成されており、十字状のスリット５４が設けられている。
【００２０】
また、ケース部２０内には、上記のコンセント本体１０と入線挿通部１１とを仕切るセパレータ６が配設されている。このセパレータ６はシート状又は板状に形成された絶縁材料にて構成されており、ケース部２０内をコンセント本体１０と入線挿通部１１とに左右に仕切るように配設される。このセパレータ６によって、コンセント本体１０における結線部分と、電線との電気的絶縁性を確保することができる。特に電線を機器間の通信や機器制御等のための信号伝達に用いる場合は、弱電流が伝達されることが多く、この場合は電線にノイズが発生することを防止して、正確な信号伝達を可能とすることができる。
【００２１】
またカバー体２には、ケース部２０の下方に、ケース部２０の接続開口２１の周縁の背面側から下方に向けて垂下部２５が延設されている。この垂下部２５とケース部２０の内部は連通するように形成されている。
【００２２】
このカバー体２には、図示はしないが垂下部２５の内部からケース部２０内部に亘って、金属製のリード板が配設される。ここで垂下部２５の、コンセント本体１０側の前面にはアースねじ７が螺合されるものであり、リード板は垂下部２５側において、このアースねじ７が螺合することにより固定されると共に、アースねじ７との導通が確保されている。またこのリード板は、コンセント本体１０のアース用の接続端子部に接続するようにしてあり、アースねじ７によってアースをとるためのアースターミナルが構成されている。
【００２３】
また垂下部２５の前部の中央には、固定ねじ２７を通す貫通孔２９が穿設されている。またケース部２０の内底面の上端には、図示はしないが、ボスを形成し、前面からこのボス内を貫通して固定ねじ２７を通す貫通孔２８が穿設されている。
【００２４】
垂下部２５の、入線挿通部１１側の前面には、配線押さえ用金具４が螺子止め等により取り付けられている。配線押さえ用金具４には、押さえ片４１が側方に向けて延設されており、この押さえ片４１の先端からは垂下部２５側に向けて爪片４２が突設されている。ここで押さえ片４１は入線挿通部１１のブッシング５１の下方に配置されると共に、垂下部２５の前面から前方に離間させて配置されてる。この押さえ片４１と垂下部２５の前面との間にブッシング５１から外部に導出された電線を配置すると共に、配線押さえ用金具４を固定する螺子を締めるなどして、押さえ片４１と垂下部２５との隙間を狭窄して、押さえ片４１と垂下部２５とで電線を挟持固定すると共に、爪片４２によって電線が押さえ片４１から外れることが防止されているものである。このため、電線を配設した後、電線をカバー体２上に固定して電線に過剰な張力がかかることを防止することができると共に、コンセント１に配設された電線の配置位置が不用意に変化しないようにすることができる。
【００２５】
パッキン８は、ゴム等の軟質な樹脂材にて形成されているものであり、カバー体２と略同一の正面視寸法を有している。パッキン８の前面側の周縁には、全周に亘って、カバー体２のリブに合致する嵌合溝８２が前方に開口するように凹設されている。またこのパッキン８には、前後方向に貫通する矩形状の開口８０が設けられている。また、パッキン８の上部には、カバー体２の貫通孔２８と合致する貫通孔８１が形成されており、パッキン８の下部にはカバー体２の貫通孔２９と合致する貫通孔８３が形成されている。このパッキン８は、コンセント本体１０と入線挿通部１１とが形成されたカバー体２に、カバー体２のリブに嵌合溝８２を嵌合することにより取り付けられる。このとき、パッキン８の開口８０を介して、コンセント本体１０及び入線挿通部１１が背面側に露出することとなる。
【００２６】
また取付枠９は矩形状に形成されると共に、略矩形状の開口９２が形成されているものであり、上部には取付孔９０が形成されていると共に、カバー体２の貫通孔２８及びパッキン８の貫通孔８１に合致する貫通孔９１が形成されている。また取付枠９の下部には、取付孔９０が形成されると共に、カバー体２の貫通孔２９及びパッキン８の貫通孔８３に合致する貫通孔９３が形成されている。
【００２７】
取付枠９は開口が設けられた壁面等の造営面に、取付孔９０を通してねじ等の固着具９４を螺着することにより取り付けられるものであり、このとき取付枠９は、造営面の開口に取り付けられた取付ボックスに取り付けるようにしても良い。
【００２８】
そして、造営面の裏側に配設されている電源用配線や制御用等の電線を、造営面の開口及び取付枠９の開口９２を通して造営面の表面側に導出しておく。ここで、制御用等の電線とは、例えば各種の信号を電気的に伝達する伝達ラインであり、電源用配線からの電力の供給を受けて作動する機器に接続され、この機器を制御するための制御信号や通信信号をこの機器に伝達したり、あるいはこの機器から外部に出力される制御信号や通信信号を他の機器等伝達したりするために配設されるものを挙げることができる。
【００２９】
この状態で、コンセント１を取付枠９の前面側に配置し、電線を、入線挿通部１１側において、パッキン８の開口８０を介して、ケース部２０内の入線挿通部１１内に導入し、更にブッシング５１を介して入線挿通部１１からコンセント１の外側に導出されるものであり、このとき電線はスリット５４内にブッシング５１が湾曲変形することによって挿通され、この湾曲されたブッシング５１によって電線が挟持されると共に、電線が導出される部分におけるコンセント１の開口量が低減されて防水性が向上される。
【００３０】
また、電源用配線の電源線やアース線等の芯線を、コンセント本体１０側において、パッキン８の開口８０を介して、ケース部２０内のコンセント本体１０側に導入し、電源線等の芯線をコンセント本体１０の芯線挿入口３０に挿通して、接続する。
【００３１】
そして、カバー体２の貫通孔２８、パッキン８の貫通孔８１及び取付枠９の貫通孔９１を連通させて、この貫通孔２８，８１，９１に固定ねじ２７を螺着し、一方、カバー体２の貫通孔２９、パッキン８の貫通孔８３及び取付枠９の貫通孔９３を連通させて、この貫通孔２９，８３，９３に固定ねじ２７を螺着することにより、取付枠９に対してコンセント１を固定し、コンセント１を造営面に取り付けるものである。
【００３２】
ここで、カバー体２から導出された電線は既述のように押さえ用金具４によって垂下部２５の前面に固定される。
【００３３】
上記の例では、コンセント本体１０として、一度に一つの電源プラグのみが接続されるように形成されたものが用いられているが、同時に複数個の電源プラグが接続されるコンセント本体１０を設けるようにしても良いものである。図７，８に示す参考例は、二つの電源プラグが同時に接続されるコンセント本体１０を設けたものであり、下カバー５には、コンセント本体１０の二つのプラグ栓刃挿入口５２と一つの接地極用栓刃挿入口５３とからなる電源プラグ接続部と、二つのプラグ栓刃挿入口５２からなる電源プラグ接続部との二つの電源プラグ接続部が左右に並んで併設されている。このコンセント本体１０の内部には、各プラグ栓刃挿入口５２及び接地極用栓刃挿入口５３に対応する位置に、既述の場合と同様に、電源プラグの電源用栓刃や接地極用栓刃を接続する刃受ばね、これらの刃受ばねに電源線、アース線を接続する速結端子構造の接続端子部が、設けられている。この場合、一つのコンセント本体１０をコンセント１に設けるだけで、二つの電源プラグが同時に接続されるコンセント１が得られる。
【００３４】
図３，４に示すコンセント１は、カバー体２のケース部２０が、上段に形成された入線カバー部２０ａと下段に形成されたコンセントカバー部２０ｂとから構成されている。カバー体２に対して一体に形成された入線カバー部２０ａとコンセントカバー部２０ｂとは、いずれも前方に向けて突出するように形成されており、両側面は略三角形状に形成され、前面は、上面後方から前面下方に向けて、外方に突出しながらなだらかに湾曲する面一な曲面として形成されている。このコンセントカバー部２０ｂの上部は、入線カバー部２０ａの下部の後方部と、内部で連通されている。また、入線カバー部２０ａの前方部の下面と、コンセントカバー部２０ｂの下面は略矩形状に形成され、カバー体２の内部と外部とを連通する開口が下方に向けて開口している。ここでこの入線カバー部２０ａの下面開口はブッシング用開口部２３のみにて構成され、コンセントカバー部２０ｂの下面開口はコンセント用開口部２４のみにて構成されている。コンセントカバー部２０ｂのコンセント用開口部２４の開口周縁の、前面側及び両側面側からは、下方に向けて突出するコ字状の雨避け用のフード２２が設けられている。
【００３５】
コンセントカバー部２０ｂの内部にはコンセント本体１０が設けられる。ここで二つの電源プラグが同時に接続されるコンセント本体１０を設けたものであり、下カバー５には、コンセント本体１０の二つのプラグ栓刃挿入口５２と一つの接地極用栓刃挿入口５３とからなる電源プラグ接続部と、二つのプラグ栓刃挿入口５２からなる電源プラグ接続部との二つの電源プラグ接続部が左右に並んで併設されている。このコンセント本体１０の内部には、各プラグ栓刃挿入口５２及び接地極用栓刃挿入口５３に対応する位置に、既述の場合と同様に、電源プラグの電源用栓刃や接地極用栓刃を接続する刃受ばね、これらの刃受ばねに電源線、アース線を接続する速結端子構造の接続端子部が、設けられている。
【００３６】
このコンセント本体１０はカバー体２の背面からコンセントカバー部２０ｂ内に挿入されてコンセントカバー部２０ｂ内に配設されている。このときコンセント本体１０の下カバー５がコンセントカバー部２０ｂのコンセント用開口部２４に配置されて、このコンセント用開口部２４にて挿入口５２,５３が外部に露出しており、コンセント本体１０はこのような状態で、ケース体２に対して螺子どめ等により固定されている。このように、ケース部２０の下段に形成されたコンセントカバー部２０ｂには、入線挿通部１１は形成されずにコンセント本体１０のみが配設され、コンセントカバー部２０ｂの下面開口であるコンセント用開口部２４には、ブッシング５１は配置されない。この場合、一つのコンセント本体１０をコンセント１に設けるだけで、二つの電源プラグが同時に接続されるコンセント１が得られる。
【００３７】
一方、入線挿通部１１は、入線カバー部２０ａ内に形成された空間にて構成されており、この入線挿通部１１によって、入線カバー部２０ａの背面開口とブッシング用開口部２３とが連通されている。またブッシング用開口部２３には、コンセント１外部と入線挿通部１１とを仕切るようにブッシング５１が設けられている。ここでブッシング５１はゴム等の軟質の樹脂材料にて形成されており、図示の例では十字状のスリット５４が二つ設けられているが、スリット５４は三個以上設けても良い。このようにケース部２０の上段に形成された入線カバー部２０ａにはコンセント本体１０は設けられず、入線挿通部１１のみが形成されるものであり、入線カバー部２０ａの下面開口であるブッシング用開口部には、挿入口５２,５３は露出されない。この場合、複数のスリット５４が形成された二以上の電線を挿通できる入線挿通部１１が設けられたコンセント１が得られる。
【００３８】
また、ケース部２０内には、コンセントカバー部２０ｂと入線カバー部２０ａとの連通部分に、ケース部２０内をコンセント本体１０と入線挿通部１１とに上下に仕切る絶縁性のセパレータ６が配設されている。
【００３９】
他の構成は図１，２に示すものと同様であり、カバー体２の垂下部２５には配線押さえ用金具４とアースターミナルとが形成されている。ここで、配線押さえ用金具４は、図１，２の場合とは異なり、入線挿通部１１に挿通される電線を固定するものではなく、コンセント本体１０の一側部に形成された二つのプラグ栓刃挿入口５２からなる電源プラグ接続部に接続された電源プラグのコードを固定するために設けられている。
【００４０】
このように構成されたコンセント１では、一つのコンセント１のみを用いて複数の機器に対して電源を接続すると共に制御用等の戦線を配設することができて、施工の手間を更に削減することができるものであり、しかも入線挿通部１１とコンセント本体１０とを上下二段に形成することでコンセントをコンパクトに形成することができるものである。
【００４１】
図５，６に示すコンセント１は、図３，４に示す構成において、入線カバー部２０ａを、カバー体２に対して着脱自在に形成したものである。すなわち、カバー体２は、コンセントカバー部２０ｂの下方に垂下部２５を一体に設け、更にコンセントカバー部２０ｂの上方に延出部２６を一体に設けて形成されており、更に延出部２６に対して入線カバー部２０ａが着脱自在に設けられている。
【００４２】
コンセントカバー部２０ｂは前方に向けて突出するように形成されており、両側面は略三角形状に形成され、前面は、上面後方から前面下方に向けて、外方に突出しながらなだらかに湾曲する面一な曲面として形成されている。またこのコンセントカバー部２０ｂは背面及び下面のみが開口しており、下面開口はコンセント用開口部２４のみにて構成されている。
【００４３】
また垂下部２５は、コンセントカバー部２０ｂの下方に、コンセントカバー部２０ｂのコンセント用開口部２４の周縁の背面側から下方に向けて延設されている。この垂下部２５とコンセントカバー部２０ｂの内部は連通するように形成されている。
【００４４】
また延出部２６は板状に形成されており、コンセントカバー部２０ｂの上面の背面側から上方に向けて延設されている。カバー体２の上部に設ける貫通孔２８は、この延出部２６の上部に設けられている。また延出部２６には略矩形状の開口部２６ａが形成されている。また延出部２６には一側面、上面及び他側面に亘る係合溝２６ｂが形成されている。
【００４５】
入線カバー部２０ａは前方に向けて突出するように形成されており、両側面は略三角形状に形成され、前面は、上面後方から前面下方に向けて、外方に突出しながらなだらかに湾曲する面一な曲面として形成されている。またこの入線カバー部２０ａは背面及び下面のみが開口しており、下面開口はブッシング用開口部２３のみにて構成されている。また背面開口には、図示はしないが、内面から内方に向けて突出する、上記係合溝２６ｂに合致する係合リブが形成されている。
【００４６】
コンセントカバー部２０ｂの内部には、背面開口から、図３，４に示すものと同様のコンセント本体１０が挿入されてコンセントカバー部２０ｂ内に配設されている。
【００４７】
一方、入線カバー部２０ａは、係合溝２６ｂとケース体２の係合リブとを位置合わせして、入線カバー部２０ａを延出部２６の上方から下方にスライドすることにより、係合溝２６ｂと係合リブとを係合させて、カバー体２に対して取り付けられる。入線カバー部２０ａがカバー体２に取り付けられた状態において、入線カバー部２０ａの内部に形成された空間にて構成されており、この入線挿通部１１によって、背面側の開口部２６ａとブッシング用開口部２３とが連通されている。またブッシング用開口部２３には、図３，４に示す場合と同様のブッシング５１が、コンセント１外部と入線挿通部１１とを仕切るように設けられている。
【００４８】
ここで、入線挿通部１１とコンセント本体１０とは、コンセントカバー部２０ｂの上面部分によって仕切られているため、絶縁性のセパレータ６を別途に設けることなく入線挿通部１１とコンセント本体１０との電気的な絶縁が確保されている。
【００４９】
他の構成は図３，４に示すものと同様であり、カバー体２の垂下部２５には配線押さえ用金具４とアースターミナルとが形成されている。
【００５０】
上記のように構成されるコンセント１では、入線カバー部２０ａをカバー体２から脱離した状態で電線を開口部２６ａの背面側から前面側に導出し、更に入線カバー部２０ａの背面開口から入線カバー部２０ａ内部に導入すると共にブッシング５１のスリット５４と通して入線カバー部２０ａから導出し、この状態で入線カバー部２０ａをカバー体２に取着することにより、電線を入線挿通部１１からコンセント外に導出することができる。従って、ブッシング５１に電線を挿通させる作業を入線カバー部２０ａをカバー体２から脱離した状態で、広いスペースにて行うことができて、電線の配設作業を容易に行うことができるものである。またコンセント１を造営面に取り付けた状態であっても、入線カバー部２０ａを脱離し、造営面の裏側から開口部２６ａを介して電線を引き出し、更に前述の場合と同様に電線を入線挿通部１１に配設することができるものであり、コンセント１を造営面に取り付けた状態であっても電線の配設作業を容易に行うことができるものである。
【００５１】
以上のように構成されるコンセント１は、例えば図９の参考例に示すように、外部設置型の給湯器１００に電源を接続すると共に制御用の電線を接続するために用いることができる。図示の例では給湯器１００の電源コード１０２を、造営面に設置されたコンセント１のコンセント本体１０に接続し、アース線１０３をアースターミナルに接続し、更にコンセント１の入線挿通部１１から引き出された制御用の電線１０１を給湯器１００に接続しているものである。このようにして、一つのコンセント１のみを用いて、外部設置型の機器に対する電源の接続をコンセント本体１０を介して行うと共に、制御用等のための電線の配設を入線挿通部１１を介して行うことができるものであり、電線を接続するためのカバー等を別途に設ける必要がなく、施工に手間がかからないものである。
【００５２】
【発明の効果】
本発明の請求項１に係るコンセントは、造営面に設置される絶縁材料にて構成されたカバー体と、カバー体内に配設されるプラグ栓刃挿入口を備えたコンセント本体と、カバー体内に形成され、電線を挿通するためのブッシングを備えた入線挿通部と、カバー体の外面側に形成されたアースターミナルと、カバー体と造営面との間に介装される柔軟性を有するパッキンと、カバー体を造営面に取り付けるための取付枠とを具備するため、コンセントを造営面に設置して、この一つのコンセントのみを用いて、コンセント本体を介して電動機器に電源を供給すると共に入線挿通部を介して電源が供給される機器の制御や機器間の通信等を行うための電線をも配設することができ、電線を配設するための別途の設備を配設する必要がなく、施工を簡便なものとすることができるものであり、またアースターミナルを用いて接地工事を容易に行うことができるものである。
【００５３】
また、カバー体にコンセントカバー部と入線カバー部を、いずれか一方が上段側に配置されると共に他方が下段側に配置されるように形成し、コンセントカバー部内に複数の電源プラグが接続できるコンセント本体を設けると共に入線カバー部内に複数の電線が挿通される入線挿通部を形成したため、一つのコンセントを用いて複数の機器に対して電源の接続と電源が供給される機器の制御や機器間の通信等を行うための電線の配設とを行うことができるものであり、複数の機器への電源の接続及び電線の配設にあたっても一つのコンセントのみを設置すれば良く、施工の手間を更に削減することができるものであり、しかもコンセント本体と入線挿通部とを上下二段に形成することでコンセントをコンパクトに形成することができるものである。
【００５４】
また請求項２に記載の発明は、請求項１の構成に加えて、入線カバー部をカバー体に対して着脱自在に形成したため、入線カバー部を脱離した状態で電線をブッシングに挿通する作業を行うことができ、電線の配設作業を広いスペースにて容易に行うことができるものである。
【図面の簡単な説明】
【図１】  本発明の参考例の一例を示すものであり、（ａ）は正面図、（ｂ）は底面図、（ｃ）は側面図、（ｄ）は背面図である。
【図２】  同上の分解斜視図である。
【図３】  本発明の実施の形態の一例を示すものであり、（ａ）は正面図、（ｂ）は底面図、（ｃ）は側面図、（ｄ）は背面図である。
【図４】  同上の分解斜視図である。
【図５】  本発明の実施の形態の更に他例を示すものであり、（ａ）は正面図、（ｂ）は底面図、（ｃ）は側面図、（ｄ）は背面図である。
【図６】  同上の分解斜視図である。
【図７】  本発明の参考例の他例を示すものであり、（ａ）は正面図、（ｂ）は底面図、（ｃ）は側面図、（ｄ）は背面図である。
【図８】  同上の分解斜視図である。
【図９】  本発明の参考例の使用状態を示す概略図である。
【符号の説明】
１  コンセント
２  カバー体
８  パッキン
９  取付枠
１０  コンセント本体
１１  入線挿通部
２０ａ  入線カバー部
２０ｂ  コンセントカバー部
５１  ブッシング
【図１】
0003675297.tif 000002
【図２】
0003675297.tif 000003
【図３】
0003675297.tif 000004
【図４】
0003675297.tif 000005
【図５】
0003675297.tif 000006
【図６】
0003675297.tif 000007
【図７】
0003675297.tif 000008
【図８】
0003675297.tif 000009
【図９】
0003675297.tif 000010